(57)【特許請求の範囲】
【請求項１】
洗浄すべき食器類が収容される洗浄槽と、
食器洗浄用の洗浄液を循環させるポンプと、
制御手段と、
前記洗浄槽が出し入れされる前面開口部を有し、前記制御手段から前記ポンプに送出される運転指令により前記ポンプを稼働させて洗浄運転を実行する洗浄機本体と、
前記洗浄機本体の前記前面開口部を開閉する扉部と、
前記扉部に配設され、前記前面開口部から前記洗浄槽を引き出す際に使用者が手指を挿入する手指挿入部と、
前記扉部の横幅方向に沿って配置される軸体と、
前記軸体に軸支され、前記軸体の軸心回りの回動を伴って前記軸心回りに揺動する態様で、前記手指挿入部に配設されるレバー体と、
前記手指挿入部に対して、前記扉部の横幅方向に離間して配設され、前記軸体の前記回動を検出する軸体回動検出部とを備え、かつ、
前記レバー体と、前記軸体と前記軸体回動検出部とが、前記手指挿入部に挿入された手指により前記レバー体が把持されたことを検出するレバー体把持検出手段を構成し、
前記手指挿入部と前記軸体回動検出部との間に、前記手指挿入部から前記軸体回動検出部へ飛散する水滴を受け止める水滴飛散防止部が配設されており、
前記水滴飛散防止部が、下端が解放された逆Ｕ字状の溝を備えた上側仕切りと、軸体の軸方向について見た場合に、前記上側仕切りの両側に位置するように配設された、上端が解放されたＵ字状の溝を備えた第１の下側仕切りと、上端が解放されたＵ字状の溝を備えた第２の下側仕切りとを備えているとともに、
前記軸体が、前記上側仕切りの前記溝と、前記第１および第２の下側仕切りの前記溝とによって上下方向から挟持され、前記上側仕切りの前記溝と、前記第１および第２の下側仕切りの前記溝とによって形成される、側面視において略円形となる軸受に、前記軸体が軸支されることにより水滴の飛散が抑制されるように構成されていること
を特徴とする食器洗浄機。
【請求項２】
前記洗浄機本体が、落下する水を受け止めるカバー体を備えるとともに、前記水滴飛散防止部で受け止めた水滴を、前記カバー体に誘導する誘導部を備えることを特徴とする請求項１記載の食器洗浄機。
【請求項３】
前記手指挿入部と前記軸体回動検出部との間に位置する前記軸体に、前記軸体を伝って水が流動することを抑制する堰部が配設されていることを特徴とする請求項１または２記載の食器洗浄機。
【請求項４】
前記洗浄機本体が、落下する水を受け止めるカバー体を備えているとともに、前記堰部にて堰き止められて落下した水を前記カバー体に誘導する第２の誘導部を備えていることを特徴とする請求項３記載の食器洗浄機。
【発明の詳細な説明】
【技術分野】
【０００１】
本発明は、食器洗浄機に関し、詳しくは、洗浄機本体の前面開口部を通じて洗浄槽を略水平方向に出し入れすることができるように構成された食器洗浄機に関する。
【背景技術】
【０００２】
システムキッチンなどに組み込むためのビルトインタイプの食器洗浄機においては、洗浄機本体の前面側に設けられた前面開口部を通じて洗浄槽を略水平方向にスライドさせて出し入れすることができるようにした、いわゆる引き出し式の食器洗浄機が広く用いられている。
【０００３】
そして、そのような食器洗浄機として、特許文献１には、機器本体前方の開口部から洗浄槽を引き出す際に使用者が把持する把持部と、この把持部を把持する際に使用者が手指を挿入する手指挿入部を備え、手指挿入部に使用者の手指が挿入されたことを検出する手指挿入検出手段を備えた食器洗浄機が提案されている。
【０００４】
この食器洗浄機においては、手指挿入検出手段が、ＬＥＤなどからなる発光部と、発光部から発光する光を受光するフォトトランジスタなどからなる受光部とを備え、手指挿入部に挿入された手指によって発光部から発光する光が遮光された遮光状態を検出することで手指挿入状態を検出するように構成されている。
【０００５】
さらに、特許文献１の食器洗浄機においては、手指挿入状態を検出したときには、制御手段が、ポンプの運転を停止させる停止指令を送出し、ポンプの回転速度を検出する回転速度検出手段によって回転速度が、洗浄液が洗浄槽外に漏れ出さない所定の速度以下であることを検出したときに、ロック機構によるロックを解除し、洗浄槽を収納位置から引き出すことができるように構成されている。
【０００６】
そして、その結果、洗浄運転中に洗浄槽を引き出すことが必要になった場合に、洗浄水の噴出などの事態を招くことなく洗浄槽を引き出すことができるとともに、ロック機構に大きな衝撃を与えるおそれが少なく、操作性や耐久性に優れた食器洗浄機を提供することができるとされている。
【先行技術文献】
【特許文献】
【０００７】
【特許文献１】特開２０１５−１９９１８号公報
【発明の概要】
【発明が解決しようとする課題】
【０００８】
しかしながら、特許文献１の食器洗浄機においては、機器本体前方の開口部から洗浄槽を引き出す場合において、使用者が上述の把持部を把持したとき、使用者が手指を挿入する手指挿入部に、洗浄機本体の外部から水が浸入するおそれがある。
【０００９】
そして、洗浄機本体の外部から浸入した水が、手指挿入部に設けられている受光部や受光部に付着した場合、使用者の手指が挿入されたか否かを適切に検出することができなくなり、使用者の手指による把持部の把持が適正に検出できないおそれがある。
【００１０】
本発明は、上記課題を解決するものであり、洗浄槽を洗浄機本体の前面開口部から引き出すために、使用者が手指挿入部に手指を入れて把持部を把持したときに、洗浄機本体の外部から手指挿入部に水が浸入した場合にも、検出機構の内部への水の侵入を防止して、把持部が使用者の手指により把持されたことが適正に検出することが可能な食器洗浄機を提供することを目的とする。
【課題を解決するための手段】
【００１１】
上記の目的を達成するために、本発明の食器洗浄機は、
洗浄すべき食器類が収容される洗浄槽と、
食器洗浄用の洗浄液を循環させるポンプと、
制御手段と、
前記洗浄槽が出し入れされる前面開口部を有し、前記制御手段から前記ポンプに送出される運転指令により前記ポンプを稼働させて洗浄運転を実行する洗浄機本体と、
前記洗浄機本体の前記前面開口部を開閉する扉部と、
前記扉部に配設され、前記前面開口部から前記洗浄槽を引き出す際に使用者が把持する把持部であって、把持する際に使用者が手指を挿入する手指挿入部を備えた把持部と、
前記扉部の横幅方向に沿って配置される軸体と、
前記軸体に軸支され、前記軸体の軸心回りの回動を伴って前記軸心回りに揺動する態様で、前記手指挿入部に配設されるレバー体と、
前記手指挿入部に対して、前記扉部の横幅方向に離間して配設され、前記軸体の前記回動を検出する軸体回動検出部とを備え、かつ、
前記レバー体と、前記軸体と前記軸体回動検出部とが、前記手指挿入部に挿入された手指により前記レバー体が把持されたことを検出するレバー体把持検出手段を構成し、
前記手指挿入部と前記軸体回動検出部との間に、前記手指挿入部から前記軸体回動検出部へ飛散する水滴を受け止める水滴飛散防止部が配設されており、
前記水滴飛散防止部が、下端が解放された逆Ｕ字状の溝を備えた上側仕切りと、軸体の軸方向について見た場合に、前記上側仕切りの両側に位置するように配設された、上端が解放されたＵ字状の溝を備えた第１の下側仕切りと、上端が解放されたＵ字状の溝を備えた第２の下側仕切りとを備えているとともに、
前記軸体が、前記上側仕切りの前記溝と、前記第１および第２の下側仕切りの前記溝とによって上下方向から挟持され、前記上側仕切りの前記溝と、前記第１および第２の下側仕切りの前記溝とによって形成される、側面視において略円形となる軸受に、前記軸体が軸支されることにより水滴の飛散が抑制されるように構成されていること
を特徴としている。
【００１２】
また、本発明の食器洗浄機においては、前記洗浄機本体が、落下する水を受け止めるカバー体を備えるとともに、前記水滴飛散防止部で受け止めた水滴を、前記カバー体に誘導する誘導部を備えていることが好ましい。
【００１３】
また、前記手指挿入部と前記軸体回動検出部との間に位置する前記軸体に、前記軸体を伝って水が流動することを抑制する堰部が配設されていることが好ましい。
【００１４】
また、前記洗浄機本体が、落下する水を受け止めるカバー体を備えているとともに、前記堰部にて堰き止められて落下した水を前記カバー体に誘導する第２の誘導部を備えていることが好ましい。
【発明の効果】
【００１５】
本発明の食器洗浄機は、手指挿入部と軸体回動検出部との間に、手指挿入部から軸体回動検出部へ飛散する水滴を受け止める水滴飛散防止部を供えており、  水滴飛散防止部が、下端が解放された逆Ｕ字状の溝を備えた上側仕切りと、軸体の軸方向について見た場合に、上側仕切りの両側に位置するように配設された、上端が解放されたＵ字状の溝を備えた第１の下側仕切りと、上端が解放されたＵ字状の溝を備えた第２の下側仕切りとを備えているとともに、軸体が、上側仕切りの溝と、第１および第２の下側仕切りの溝とによって上下方向から挟持され、上側仕切りの溝と、第１および第２の下側仕切りの溝とによって形成される、側面視において略円形となる軸受に、軸体が軸支されることにより水滴の飛散が抑制されるように構成されているので、手指挿入部から軸体回動検出部への水滴の飛散が抑制され、洗浄機本体の前面開口部から洗浄槽を引き出す際に把持部を使用者が把持したときに、手指挿入部に機器外部から水が浸入した場合にも、軸体回動検出部への水の飛散が抑制され、把持部が使用者の手指により把持されたことを適正に検出することができる。
【００１６】
また、本発明の食器洗浄機においては、洗浄機本体が、落下する水を受け止めるカバー体を備えるとともに、水滴飛散防止部で受け止めた水滴を、カバー体に誘導する誘導部を備えているので、水滴飛散防止部において受け止めた水滴が洗浄機本体の外に流出することを抑制することが可能になる。
【００１７】
また、手指挿入部と前記軸体回動検出部との間に位置する軸体に、軸体を伝って水が流動することを抑制する堰部が配設された構成とした場合には、手指挿入部から軸体回動検出部への水の流動が抑制されるので、把持部が使用者の手指により把持されたことをより確実に検出することが可能になり、本発明をさらに実効あらしめることができる。
【００１８】
また、洗浄機本体が、落下する水を受け止めるカバー体を備えているとともに、堰部にて堰き止められて落下した水をカバー体に誘導する第２の誘導部を備えている構成とした場合には、堰部にて堰き止められて落下した水が洗浄機本体の外に流出することを抑制することが可能になり、本発明をさらに意義あらしめることができる。
【図面の簡単な説明】
【００１９】
【図１】本発明の実施形態にかかる食器洗浄機の全体構成を示す概略斜視図である。
【図２】本発明の実施形態にかかる食器洗浄機を構成する洗浄槽が引き出し状態にある場合を示す側面断面図である。
【図３】本発明の実施形態にかかる食器洗浄機の動作を説明する図であって、洗浄槽が引き出し状態にある場合を示す図である。
【図４】本発明の実施形態にかかる食器洗浄機を構成する洗浄槽が引き出し状態と収納状態との間の中間状態にある場合を示す側面断面図である。
【図５】本発明の実施形態にかかる食器洗浄機の動作を説明する図であって、洗浄槽が引き出し状態と収納状態の中間状態にある場合を示す図である。
【図６】本発明の実施形態にかかる食器洗浄機を構成する洗浄槽が収納状態にある場合を示す側面断面図である。
【図７】本発明の実施形態にかかる食器洗浄機の動作を説明する図であって、洗浄槽が収納状態にある場合を示す図である。
【図８】本発明の実施形態にかかる食器洗浄機を構成する洗浄槽の収納状態を、一部を省略して示す平面図である。
【図９】本発明の実施形態にかかる食器洗浄機を構成する洗浄槽の収納状態を、内蓋を除いて示す平面図である。
【図１０】本発明の実施形態にかかる食器洗浄機を構成するクランプ部材の洗浄機本体への取り付け状態を示す斜視図である。
【図１１】本発明の実施形態にかかる食器洗浄機を構成するロック機構の平面図である。
【図１２】本発明の実施形態にかかる食器洗浄機を構成するロック機構の側面図であり、(イ)は洗浄槽が収納状態にある場合、(ロ)は洗浄槽が第１引出し位置に引き出された状態にある場合、(ハ)はロック状態が解除された状態にある場合を示す図である。
【図１３】本発明の実施形態にかかる食器洗浄機を構成する洗浄槽位置センサの取り付け状態を示す要部側面断面図である。
【図１４】本発明の実施形態にかかる食器洗浄機の動作制御系の概略構成を示すブロック図である。
【図１５】本発明の実施形態にかかる食器洗浄機を構成する扉部における要部（上部）を模式的に示す背面図である。
【図１６】本発明の実施形態にかかる食器洗浄機の要部を模式的に示す側断面図である。
【図１７】（ａ）は本発明の実施形態にかかる食器洗浄機を構成する扉部の手指挿入部に手指が挿入されておらず、レバー体が把持されていない状態の手指挿入部、（ｂ）はその状態における軸体回動検出部の要部構成を示す図である。
【図１８】（ａ）は本発明の実施形態にかかる食器洗浄機を構成する扉部の手指挿入部に手指が挿入され、レバー体が把持されている状態の手指挿入部（手指は図示せず）、（ｂ）はその状態における軸体回動検出部の要部を示す図である。
【図１９】本発明の実施形態にかかる食器洗浄機を構成する扉部の要部の側断面図である。
【発明を実施するための形態】
【００２０】
以下、本発明の実施形態を示して、その特徴とするところをさらに詳しく説明する。
【００２１】
[実施形態１］
図１は本発明の実施形態にかかる食器洗浄機の全体構成を示す概略斜視図、図２は洗浄槽の引き出し状態を示す側面断面図、図３は洗浄槽の引き出し状態を示す動作説明図、図４は洗浄槽の引き出し状態と収納状態との間の中間状態を示す側面断面図、図５は洗浄槽の引き出し状態と収納状態との間の中間状態を示す動作説明図、図６は洗浄槽の収納状態を示す側面断面図、図７は洗浄槽の収納状態を示す動作説明図、図８は洗浄槽の収納状態を一部を省略して示す平面図、図９は洗浄槽の収納状態を内蓋を除いて示す平面図である。
【００２２】
この実施形態の食器洗浄機は、略箱状で、前面側に、洗浄槽２を出し入れするための前面開口部３が形成され洗浄機本体（本体ケーシング）１を備えており、洗浄機本体１の内側の収納空間内には上述の洗浄槽２が、上記前面開口部３を通して略水平方向に出し入れすることができるような態様で収納されている。
そして、この洗浄槽２の上面側には、食器類５（図１）や洗浄かご６（図６など）を出し入れするための上面開口部４が設けられている。また、洗浄機本体１の内側の上部には、洗浄槽２の上面開口部４を開閉する内蓋１０が略上下方向に昇降可能に保持された状態で配置されている。さらに、洗浄機本体１内には、洗浄運転を実行するために、図示しないが、食器洗浄用の洗浄液を循環させるポンプが設けられている。
【００２３】
また、洗浄機本体１の内側には、洗浄槽２を出し入れする際のガイド用の左右一対のレール７が配設され、その左右一対のレール７を介して洗浄槽２が洗浄機本体１の収納空間に対して、矢印Ａで示す収納移動方向と、矢印Ｂで示す引き出し移動方向へスライド移動することができるように構成されている。
【００２４】
洗浄槽２は、その前面側に洗浄機本体１の前面開口部３を開閉する扉部９が設けられており、この扉部９には洗浄槽２を引き出す際に把持する把持部（把手）８が設けられているとともに、使用者が洗浄運転やその停止を行うための運転／停止スイッチ５７などを有する操作パネルが設けられている。また、把持部８は、把持部８を把持する際に使用者が手指を挿入する手指挿入部１０８を備えている。
【００２５】
そして、使用者が把持部（把手）８を把持して、洗浄槽２を引き出し移動方向Ｂへスライド移動させることにより、図１に示すように、洗浄槽２が洗浄機本体１の前方側に引き出されて、食器類５や洗浄かご６を取り出したり収納したりすることが可能になる。また、使用者が、洗浄槽２を収納移動方向Ａへスライド移動させることにより、洗浄機本体１内に洗浄槽２を収納して、食器類５を洗浄したり乾燥したりすることができるように構成されている。
【００２６】
内蓋１０は、洗浄槽２が洗浄機本体１に収納移動されると閉状態となり、洗浄槽が洗浄機本体１から引き出し移動されると開状態となるように開閉動するように構成されており、閉状態においては食器洗浄時などにおいて洗浄水が洗浄槽２から飛散することを抑制、防止し、開状態においては洗浄槽２に食器類５などを出し入れすることができるように構成されている。
【００２７】
内蓋１０の左右の各側部には、カムフォロアとして機能する前後一対のカムピン３７（図３）がそれぞれ外側に向けて突出するように設けられている。また、内蓋１０の上部と洗浄機本体１の前端部との間には、内蓋１０を洗浄機本体１の前面開口部３側に向けて付勢するコイルスプリングからなる蓋用スプリング３８が介装されている。
【００２８】
また、洗浄機本体１の内側の上部左右の側端には、図１０に示すように、前後一対の保持舌片２３が内蓋１０の各カムピン３７に個別に対応するように洗浄機本体１と一体的に設けられている。そして、各前後一対の保持舌片２３間には、クランプ部材２６が上下方向（符号Ｃで示す方向）に移動可能な状態で嵌入されている。
【００２９】
各クランプ部材２６は、合成樹脂や金属製の成形品からなり、その上部には、内蓋１０の前述のカムピン３７がそれぞれ嵌入するカム溝２２が、また、カム溝２２の両端部の外側には各保持舌片２３の上縁に当接して位置決め保持される保持片２４が形成されている。さらに、クランプ部材２６の下部には、洗浄槽２の後述の受け止め面３５（図３(イ)など）が当接することで当該クランプ部材２６の上下方向Ｃへの移動を規制するための当接部２５が形成されている。
【００３０】
前記カム溝２２は図３に示すように、中心線Ｌを中心として左右対称形に略Ｖ字状に形成されており、洗浄槽２が洗浄機本体１内に収納されたときにはカムピン３７はカム溝２２の最下方位置に、洗浄槽２が洗浄機本体１から引き出されたときにはカムピン３７はカム溝２２の最上方位置にそれぞれ移行する。
【００３１】
前記洗浄槽２は、その上面開口部４の外周に沿った各辺に外方に張り出したフランジ部３２（図３(イ)，図５(イ)）が形成され、その内の左右の各フランジ部３２からは下方へ向けて突出する状態で受け止め面３５（図３(イ)，図５(イ)）が形成され、各受け止め面３５の下縁がクランプ部材２６の当接部２５に対向している。
【００３２】
洗浄機本体１の内側後方の上部左右の位置には、内蓋開閉操作具としての一対の案内レバー１１（図３，図５）がそれぞれ配置されている。各案内レバー１１は、洗浄機本体１に固定された取付固定部１２、揺動支承軸３９、プッシュレバー１３、および案内ピン１４を備えている。そして、プッシュレバー１３の基端側は、取付固定部１２に設けられた揺動支承軸３９を軸心として揺動自在に取り付けられ、また、先端側には上下方向に沿って延びる円筒状の案内ピン１４が設けられている。
【００３３】
一方、内蓋１０の後端部の左右には、洗浄槽２の移動方向と直交する方向に延びる長穴１６（図３(イ)）が形成されており、各長穴１６にプッシュレバー１３の先端部の案内ピン１４が常時嵌入されている。これにより、案内ピン１４が長穴１６に沿って摺動する摺動可能範囲内でプッシュレバー１３が揺動し得るので、これに応じて内蓋１０もプッシュレバー１３の揺動可能範囲内で前後方向（図３(ロ)の左右方向）に沿って移動するように構成されている。そして、前述のように、内蓋１０の左右にはカムピン３７が固定されているので、内蓋１０の前後の移動に伴ってカムピン３７は、クランプ部材２６のカム溝２２に沿って摺動する。
【００３４】
また、洗浄槽２の後方端の上部左右には、図９に示すように、洗浄槽溝１５が案内レバー１１に個別に対応して設けられている。この洗浄槽溝１５は、例えば図３(ロ)に示すように、嵌合手前側当接部１７と奥側当接部１８とで囲まれた状態で形成されており、嵌合手前側当接部１７は洗浄槽２の側面まで延び、また奥側当接部１８は途中で後方側に後退するようにそれぞれ形成されている。そして、各洗浄槽溝１５は、プッシュレバー１３の揺動によってプッシュレバー１３の先端の案内ピン１４と係脱するように構成されている。
【００３５】
また、洗浄機本体１内の後方箇所には、洗浄槽２を収納移動方向および引き出し移動方向に移動させる際にその移動力を補助するための左右一対のトグル機構２７が設けられている。
各トグル機構２７は、洗浄槽２の後端部に係合用ピン３６が配設される一方、洗浄機本体１の後端部には、略Ｌ字状のレバー２９が枢支ピン３１によって揺動自在に設けられ、このレバー２９の枢支ピン３１を挟む一端側には上記の係合用ピン３６に係合する係合用切欠き２８が形成され、他端側は洗浄機本体１に一端が固定されたコイルスプリング３０（図３(イ)，図５(イ)）の他端が取り付けられて構成されている。これにより、レバー２９に対するコイルスプリング３０の付勢力（回動作用方向）が、図５(イ)に示す設定切換位置Ｄを境として時計方向と反時計方向とに切り換わるように構成されている。
【００３６】
また、この実施形態にかかる食器洗浄機では、洗浄機本体１内の後部側にロック機構４０が設けられている。このロック機構４０は、洗浄運転の実行中に洗浄機本体１内の所定収納位置にある洗浄槽２を引き出そうとしたときに、洗浄槽を引き出すことができないようにする機能と、洗浄運転が行われていない場合や、ポンプ５９からの洗浄液の噴出量（送液量）が、洗浄槽２から洗浄液が外部に噴出しないような量である場合には、洗浄槽２を洗浄機本体１内から引き出すことを許容する機能を果たすことができるように構成されている。
【００３７】
ロック機構４０は、この実施形態の場合、具体的には図１１，図１２(イ)，(ロ)，(ハ)に示すように、洗浄槽２の後端部に、被係止部としてストライクピン４１を配設するとともに、洗浄機本体１の所定収納位置（この実施形態では、洗浄機本体１の最奥側の位置）に収納された洗浄槽２が第１引出し位置まで引き出されたときに、ストライクピン４１を係止する係止部材としてのフック４２、このフック４２をストライクピン４１の係止位置側に向けて付勢する係止用付勢手段としての捩りバネ４３、この捩りバネ４３の付勢力に抗してフック４２をストライクピン４１との係止位置から、非係止位置まで、すなわちストライクピン４１から離脱した位置まで動作させる係止解除用駆動手段としてのカム４４をそれぞれ配設することにより構成されている。また、カム４４のカム軸４８には、カム４４を回転駆動する図示しないカム駆動モータが連結されて構成されている。
【００３８】
因みに、洗浄機本体１の所定収納位置におけるストライクピン４１とフック４２との間には、遊びとしての隙間が設けられていることから、洗浄槽２を最も後方の収納位置から、ストライクピン４１とフック４２とが当接する第１引出し位置まで、すなわち、上記遊びとしての隙間に相当する寸法だけは、洗浄槽２を引き出すことが可能である。
【００３９】
なお、図１２(イ)は、洗浄槽２が洗浄機本体１の最奥側に位置している（所定収納位置にある）場合における、ストライクピン４１とフック４２と位置関係を示しており、図１２(ロ)は、洗浄槽２が上記第１引出し位置まで引き出されたときに、ストライクピン４１と、フック４２とが係合した状態を示している。
また、図１２(ハ)は、フック４２がストライクピン４１から離脱した非係止位置に保持された状態（すなわち、ロック機構４０によるロックが解除され、洗浄槽２の出し入れを自由に行うことが可能な状態）を示している。
【００４０】
また、この実施形態の食器洗浄機においては、洗浄槽２が洗浄機本体１の最奥側に押し込まれた、所定収納位置にある場合には、ストライクピン４１とフック４２の間隔Ｇが３ｍｍ（図１２(イ)参照）となり、洗浄槽２がその所定収納位置から３ｍｍ引き出されて、フック４２がストライクピン４１に当接した状態が、洗浄槽２が第１引出し位置まで引き出された状態（図１２(ロ)に示す状態）となるように構成されている。
【００４１】
以上の説明からも理解されるように、ストライクピン４１とフック４２とが、図１２(イ)に示すような位置関係となる、洗浄槽２が洗浄機本体１の最奥側に押し込まれた位置から、洗浄槽２が第１引出し位置まで引き出された状態となる直前の位置（ストライクピン４１とフック４２とが、図１２(ロ)に示すような位置関係となる直前）までの間の領域が、本願発明における洗浄槽２が所定収納位置にある状態となる。
【００４２】
また、フック４２は、洗浄機本体１に固定された支軸４５によって揺動可能に支持されるとともに、この支軸４５に巻回された捩りバネ４３によってストライクピン４１の係止位置に向けて付勢（図１２では時計方向に付勢）されている。さらに、フック４２には、ストライクピン４１と対向する先端部分に傾斜部４６が形成されている。この傾斜部４６は、引き出されていた洗浄槽２を所定の位置まで押し込んだときに、ストライクピン４１が当接して捩りバネ４３による付勢力に抗してフック４２を非係止位置まで円滑に移動させるように作用するものである。なお、洗浄槽２が第１引出し位置より奥側（所定収納位置）まで戻った場合には、再びストライクピン４１がフック４２により係止された状態になる。
【００４３】
また、図１１に示すように、フック４２の遮光部材４７に近接して、フック４２が係止位置にあるか、あるいは非係止位置にあるかを検出する係止部材位置センサとしてのフック位置センサ５０が配設されている。フック位置センサ５０は、例えば投光部５０ａと受光部５０ｂとが対向配置されたフォトカプラからなる。
また、上記フック４２の傾斜部４６と支軸４５を挟んで反対側の位置には、遮光部材４７が突設されている。この実施形態の構成においては、図１２(イ)に示すように、フック４２の遮光部材４７が投光部５０ａと受光部５０ｂとの間に介在するときには、受光部５０ｂの出力がオフとなり、フック４２が係止位置にあることが検出される。また、図１２(ハ)に示すように、遮光部材４７が投光部５０ａと受光部５０ｂとの間から離脱したときには、受光部５０ｂの出力がオンとなり、フック４２が非係止位置にあることが検出される。
【００４４】
また、図１３(イ)，(ロ)に示すように、洗浄槽２の後端部には取付板５２が設けられ、この取付板５２に洗浄槽位置センサ５３が固定されるとともに、この洗浄槽位置センサ５３に近接してレバー５４が揺動自在に取り付けられている。また、洗浄機本体１のレール７の取付板５５にはレバー５４に対向する位置にレバー押圧用の突起部５６が形成されている。
【００４５】
この洗浄槽位置センサ５３は、洗浄槽２が所定収納位置にあるか否かを検出するものであって、前述のフック位置センサ５０と同様、例えば投光部５３ａと受光部５３ｂとが対向配置されたフォトカプラからなる。そして、図１３(イ)に示すように、レバー５４が突起部５５から離間していて投光部５３ａと受光部５３ｂとの間に位置するときには、受光部５３ｂの出力がオフするので、洗浄槽２が所定収納位置から前方に引き出されていること、すなわち、洗浄槽２が第１引き出し部あるいはそれよりも外側の位置まで引き出されていることが検出され、また、図１３(ロ)に示すように、レバー５４が突起部５５に押圧されて投光部５３ａと受光部５３ｂとの間から離脱したときには、受光部５３ｂの出力がオンするので、洗浄槽２が所定収納位置に収納されたことが検出されるように構成されている。
【００４６】
そして、この実施形態の食器洗浄機は、図１５に示すように、洗浄槽２を引き出す際に把持する把持部８の手指挿入部１０８に、使用者の手指が挿入され、レバー体（ドアレバー）１１２（図１５〜１８）が把持されて前方側に揺動したときにこれを検出するレバー体把持検出手段１０９を備えている。レバー体把持検出手段１０９については、さらに後述する。
【００４７】
図１４はこの実施形態の食器洗浄機の動作制御系の概略構成を示すブロック図である。
【００４８】
制御手段としてのコントローラ５８は、例えばマイクロコンピュータからなるもので、所定の制御プログラムをインストールすることにより、運転／停止スイッチ５７からの操作信号、および前述のフック位置センサ５０と洗浄槽位置センサ５３からの検出信号に基づいて洗浄液を循環させるポンプ５９、およびカム４４を駆動するカム駆動モータ６０の動作を制御するように構成されている。この実施形態の食器洗浄機は、さらに、ポンプ５９の回転速度を検出する回転速度検出手段５９ａを備えており、回転速度検出手段５９ａが、ポンプ５９の回転速度として、洗浄液が洗浄槽２の外部に噴出することのない速度を検出した時点で、コントローラ５８が、洗浄槽２を洗浄機本体１から引き出すことを許容する信号を送出するように構成されている。
なお、このコントローラ５８による制御動作については以下に詳述する。
【００４９】
次に、上記構成を備えた食器洗浄機の動作について説明する。
(１)洗浄槽２の収納移動および引き出し移動に伴う内蓋１０の開閉動作
洗浄槽２が洗浄機本体１から引き出された状態では、図３(ロ)に示すように、洗浄機本体１の案内ピン１４は洗浄槽溝１５から離脱しており、また内蓋１０は蓋用スプリング３８で洗浄機本体１の前方開口側に引っ張られているので、各案内ピン１４は内蓋１０の長穴１６内の外方端側の位置（以下、引き出し操作位置という）にある。このため、内蓋１０のカムピン３７はクランプ部材２６のカム溝２２の最上方位置に移行しており、内蓋１０は上昇して洗浄槽２の上面開口部４から離脱している。
【００５０】
この状態から洗浄槽２を収納移動方向Ａへ次第に移動させていくと、洗浄槽２が図４および図５に示す中間位置に到達するまでの範囲では、洗浄槽溝１５は案内ピン１４に依然として係合しないので、案内ピン１４は引き出し操作位置に保持されている。
【００５１】
そして、洗浄槽２が図４および図５に示す中間位置に到達すると、図５(ロ)に示すように、洗浄槽２の手前側当接部１７が案内ピン１４に当接する。洗浄槽２をさらに収納移動方向Ａへ移動させると、案内ピン１４が洗浄槽２の手前側当接部１７によって押圧されるので、案内ピン１４は内蓋１０の長穴１６に沿って内方に向けて摺動するとともに、洗浄槽溝１５内に嵌入する。これに伴いプッシュレバー１３が図中反時計方向に回動する。このプッシュレバー１３の回動によって内蓋１０が蓋用スプリング３８の引っ張り力に抗して収納移動方向Ａへ押し移動される。そのため、内蓋１０のカムピン３７はクランプ部材２６のカム溝２２の最上方位置から最下方位置に向けて移行し、その結果、内蓋１０が洗浄槽２の上面開口部４に向けて下降する。
【００５２】
洗浄槽２を所定収納位置まで移動させると、図７(ロ)に示すように、各案内ピン１４は内蓋１０の長穴１６内の内方端側の位置（以下、収納操作位置という）に移行する。これに伴い、内蓋１０のカムピン３７はクランプ部材２６のカム溝２２の最下方位置に移行し、その結果、各クランプ部材２６の当接部２５が、洗浄槽２の受け止め面３５に当接し、クランプ部材２６の開閉方向Ｃへの移動が阻止されるとともに、内蓋１０が洗浄槽２側に押し付けられて洗浄槽２の上面開口部４が確実に封止される。
【００５３】
一方、洗浄槽２を第１引出し位置からさらに外側に移動させる（引き出し移動方向Ｂ（図６参照）へ移動させる）ときは、上記の説明とは逆の動作となる。すなわち、洗浄槽２の手前側当接部１７による案内ピン１４への押圧作用が解除されるとともに、内蓋１０には蓋用スプリング３８の引っ張り力が加わるため、案内ピン１４は内蓋１０の長穴１６に沿って収納操作位置から引き出し操作位置に向けて摺動するとともに、内蓋１０のカムピン３７はクランプ部材２６のカム溝２２の最下方位置から最上方位置まで移行する。その結果、内蓋１０が洗浄槽２の上部開口部から離間して開状態となる。
ただし、洗浄槽２が第１引出し位置にある場合には、内蓋１０が洗浄槽２側に押し付けられて洗浄槽２の上面開口部４が確実に封止された状態が保たれるように構成されている。
【００５４】
このように、洗浄槽２を収納移動および引き出し移動すると、これに応じて案内レバー１１、クランプ部材２６のカム溝２２、および蓋用スプリング３８の相互作用によって内蓋１０が連動して内蓋１０の開閉操作が行われることになる。
【００５５】
(２)洗浄槽２の収納移動および引き出し移動に伴うトグル機構２７の動作
洗浄槽２を洗浄機本体１の収納空間に収納した状態では、図６、図７(イ)に示すように、洗浄槽２から後方に向けて突出する係合用ピン３６が、レバー２９の係合用切欠き２８内に嵌入し、コイルスプリング３０の付勢力に起因するレバー２９の回動力が、洗浄槽２の収納移動方向Ａ側に作用する。
【００５６】
その際、前述のように、洗浄槽２の手前側当接部１７が案内ピン１４に当接してこれを収納移動方向Ａ側に押圧しているので、内蓋１０のカムピン３７がカム溝２２内における最下方位置に位置し、その結果、内蓋１０が洗浄槽２の上面開口部４を密閉した状態となる。
【００５７】
ポンプ５９の回転速度が、所定の速度以下であることが検出され、ロックが解除された状態で、洗浄槽２を、第１引出し位置を超えて、引き出し移動方向Ｂ側へ移動させると、レバー２９がコイルスプリング３０の付勢力に抗して引き出し移動方向Ｂ側に回動され、レバー２９が図５(イ)に示した設定切換位置Ｄを越えると、図３(イ)、図４に示すように、コイルスプリング３０の付勢力に起因するレバー２９の回動力が、引き出し移動方向Ｂ側に作用するように切り換わる。これにより、コイルスプリング３０の付勢力によって、洗浄槽２が引き出し移動方向Ｂ側に押し出され、その後、係合用ピン３６が係合用切欠き２８から外れるとともに、前述のように内蓋１０の上昇により洗浄槽２の上面開口部４の閉鎖が解除されるので、洗浄槽２を洗浄機本体１から引き出すことができるようになる。
【００５８】
この引き出し状態から逆に洗浄槽２を収納移動方向Ａ側へ押し込むと、洗浄槽２から突出する係合用ピン３６がレバー２９の係合用切欠き２８内に嵌入してこれを押圧するので、引き出し時とは逆に、レバー２９をコイルスプリング３０の付勢力に抗して収納移動方向Ａ側に回動させる。そして、レバー２９が設定切換位置Ｄを越えると、レバー２９の回動力が収納移動方向Ａ側に作用するように切り換わるので、コイルスプリング３０の付勢力によって洗浄槽２が収納移動方向Ａ側に引き込まれる。
【００５９】
このように、洗浄槽２の収納移動および引き出し移動に伴って、トグル機構２７のレバー２９に対するコイルスプリング３０の付勢力（回動作用方向）が、設定切換位置Ｄを境として時計方向と反時計方向とに切り換わるので、洗浄槽２の収納移動および引き出し移動を小さな操作力でもって行うことが可能になる。      
【００６０】
(３)食器洗浄機の運転／停止などに伴うコントローラ５８による制御動作
本発明においては、洗浄運転中に洗浄槽２を引き出すことが必要となった場合に、洗浄槽２を引き出すことが可能になるまでの時間を短くして、操作性を向上させるようにしている。ここでは、本発明の特徴的な部分を含めて、この実施形態にかかる食器洗浄機の運転／停止などに伴う、コントローラによる制御動作について説明する。
【００６１】
洗浄運転開始前や洗浄運転後の待機状態においては、コントローラ５８はカム駆動モータ６０を駆動してカム４４を回動させ、フック４２を洗浄槽２のストライクピン４１から離脱した非係止位置に保持する（図１２(ハ)の状態）。すなわち、待機状態では洗浄槽２はロック機構４０によるロックが解除されているので、洗浄槽２の出し入れを自由に行うことが可能で、食器の出し入れも自由に行うことができる。
【００６２】
コントローラ５８は、運転／停止スイッチ５７が操作されて洗浄運転が指令されたときには、まず洗浄槽位置センサ５３の検出出力がオンになっているか否かを判定する。洗浄槽位置センサ５３がオンになっていれば、洗浄槽２が所定収納位置に収納されたと見なされるので、カム駆動モータ６０を起動する。これにより、カム４４が回動されてフック４２が係止位置まで移動するので、フック４２によって洗浄槽２のストライクピン４１が係止される（図１２(イ)の状態）。その際、コントローラ５８は、フック位置センサ５０がオフになっているか否かを判定する。フック位置センサ５０がオフになっておれば、フック４２によって洗浄槽２のストライクピン４１が確実に係止されたと見なされるので、このときに初めてコントローラ５８はポンプ５９を起動する。これにより、洗浄運転が開始され、ポンプ５９で加圧された洗浄水が食器類５に吹き付けられて洗浄が実施される。
【００６３】
そして、この洗浄運転中は、捩りバネ４３の作用によってフック４２がストライクピン４１を確実に係止しているので、洗浄槽２が所定収納位置にロックされた状態が安定的に保持される。したがって、使用者が不用意に洗浄槽２を強く引っ張った場合にも、洗浄槽２が外部に引き出されてしまうという不具合の発生を確実に防止することができる。
【００６４】
そして、この洗浄運転中において、洗浄を停止して、洗浄槽２を引き出す必要が生じた場合に、使用者が、扉部９に備える把持部８を把持しようとして、把持部８の手指挿入部１０８に手指を挿入し、レバー体（ドアレバー）１１２（図１５、図１６、図１７）が把持されると、そのことがレバー体把持検出手段１０９により検出され、コントローラ５８に入力される。（図１４参照。）
【００６５】
そして、レバー体１１２が把持された状態であることがコントローラ５８に入力されると、コントローラ（制御手段）５８は、ポンプ５９の運転を停止させる停止指令を送出する（図１４参照）。
【００６６】
そして、回転速度検出手段５９ａが、ポンプ５９の回転速度が、洗浄液が洗浄槽２の外部に噴出することのない速度になったことを検出した時点で、コントローラ５８が、カム駆動モータ６０を駆動してカム４４を作動させ、フック４２を捩りバネ４３の付勢力に抗して回動させ、ストライクピン４１から離脱した非係止位置まで移動させる（図１２(ハ)参照）。これにより、ロック機構４０による洗浄槽２に対するロックが解除され、洗浄槽２は出し入れを自由に行うことができるようになる。
【００６７】
また、所定の洗浄時間が経過し、洗浄運転が終了して待機状態に移行する場合、コントローラ５８は、これに応じて先ずポンプ５９を停止した後、カム駆動モータ６０を駆動してカム４４を作動させ、フック４２を捩りバネ４３の付勢力に抗して回動させてストライクピン４１から離脱した非係止位置まで移動させる。これにより、洗浄槽２はロック機構４０によるロックが再び解除されるので、洗浄槽２の出し入れを自由に行うことができる。
【００６８】
なお、ストライクピン４１がフック４２で係止され、洗浄槽２がロックされている状態では、フック４２は捩りバネ４３によって係止位置に付勢されているだけでカム４４による拘束はない。したがって、停電時や万一の故障などでカム駆動モータ６０が動作しない場合でも、フック４２に対して外力を加えることによりストライクピン４１から離脱させることにより洗浄槽２のロック解除を行うことができる。
【００６９】
そして、洗浄槽２のロック解除後に洗浄槽２を引き出して食器類を取り出した後は、停電からの復電や故障が未修理のままでも、洗浄槽２を洗浄機本体１の所定収納位置まで移動させようとすると、ストライクピン４１がフック４２の先端の傾斜部４６に当接して押圧するので、フック４２が捩りバネ４３の付勢力に抗して非係止位置まで揺動し、洗浄槽が収納位置に収納されると再びストライクピン４１がフック４２に係止された状態になる。このため、洗浄槽２を所定収納位置まで押し込むことができる。
【００７０】
したがって、洗浄槽２が引き出された状態のままで、引き出した洗浄槽２が邪魔になったり、洗浄槽２が引き出されたままの見苦しい状態のまま放置せざるを得なくなるというような事態を回避することが可能になり、かつ、洗浄槽２を収納する際に、ストライクピン（被係止部）４１とフック（係止部材）とが当接しても無理な応力が発生しないため、ロック機構４０の破損、変形などの故障の発生を確実に防止することができる。
【００７１】
＜本発明の特徴的な構成について＞
この実施形態にかかる食器洗浄機において、扉部９は上側扉部９ａと下側扉部９ｂを供えており（図１６参照）、上側扉部９ａは、
（ａ）使用者が洗浄槽２を手前に引き出す際に手指を挿入する手指挿入部１０８を構成する領域Ｘと、
（ｂ）手指挿入部１０８に隣接して配設され、後述する軸体（ドアレバー軸）１１０の一端側に位置し軸体１１０の回動を検出する軸体回動検出部（フォトセンサ）１１１が配設される領域Ｙと、
（ｃ）軸体回動検出部１１１が配設される領域Ｙと反対側の、手指挿入部１０８の右側の領域、すなわち、軸体１１０の他端側の端部が位置する領域Ｚ、
の３つの領域に食器洗浄機の横幅方向に３分割されている（図１５）。
【００７２】
使用者が洗浄槽２を手前に引き出す際に手指を挿入する手指挿入部１０８を構成する領域Ｘには、レバー体（ドアレバー）１１２が配置されている（図１５、図１６、図１７）。
【００７３】
そして、扉部９（上側扉部９ａ）は、扉部９の横幅方向に沿って配置される軸体（ドアレバー軸）１１０と、軸体１１０に軸支されて、軸体１１０の軸心回りの回動を伴って軸心回りに揺動し、手指挿入部１０８に配設されるレバー体（ドアレバー）１１２と、手指挿入部１０８に対して、扉部９の横幅方向に離間して配設され、軸体１１０の回動を検出する軸体回動検出部（フォトセンサ（図１５、図１７、図１８））１１１と遮光板（図１５、図１７、図１８）１１３とを備えている。
【００７４】
この実施形態では、レバー体１１２と、軸体１１０と、軸体回動検出部１１１とが、手指挿入部１０８に挿入された手指によりレバー体１１２が把持されたことを検出するレバー体把持検出手段１０９を構成している。
【００７５】
なお、レバー体（ドアレバー）１１２の操作状態と軸体回動検出部（フォトセンサ）１１１、および遮光板１１３との関係について説明すると以下のようになる。
【００７６】
１）手指挿入部１０８に手指が挿入されておらず、レバー体１１２が把持されていない状態では、遮光板１１３は、戻しバネ１２０の付勢力によって軸体回動検出部（フォトセンサ）１１１の発光部１０１から受光部１０２への光を遮光する方向である下方向に位置し、軸体回動検出部（フォトセンサ）１１１のＯＦＦ状態となる（図１７（ｂ）参照）。
【００７７】
２）軸体１１０の一端は、後方に向けて折り曲げられた折り曲げ部となっており、この折り曲げ部が遮光板１１３によって下方向に付勢されることで、レバー体（ドアレバー）１１２は、図１７（ａ）に示すように、時計回りに付勢されている。つまり、レバー体（ドアレバー）１１２は、上記戻しバネ１２０の付勢力によって間接的に付勢されて、図１７（ａ）に示すような起立状態となる。
【００７８】
３）そして、使用者が食器洗浄機の前面の扉を手前に引き出すためにレバー体（ドアレバー）１１２の上端部に手指をかけて把持する（上端部が手前に引かれる）と、レバー体（ドアレバー）１１２は、軸体１１０を中心に前方に回動して、レバー体（ドアレバー）１１２の上端が軸体１１０に対して前方に位置して傾斜した傾斜状態となる（図１８（ａ）参照）。
【００７９】
４）この傾斜状態では、軸体１１０の一端が後方に向けて折り曲げられた上記折り曲げ部が上方に付勢され、折り曲げ部による上方への付勢力が戻しバネ１２０による付勢力を上回り、遮光板１１３が上昇して、軸体回動検出部（フォトセンサ）１１１の発光部１０１からの光が受光部１０２で受光されて、軸体回動検出部（フォトセンサ）１１１のＯＮ状態となり、レバー体１１２が把持されたことが検出される（図１８（ｂ）参照）。
【００８０】
そして、この実施形態の食器洗浄機においては、手指挿入部１０８と軸体回動検出部１１１との間に、手指挿入部１０８から軸体回動検出部１１１へ飛散する水滴を受け止める、水滴飛散防止部１２１（図１５参照）が設けられている。なお、水滴飛散防止部１２１は、上側仕切り１２２、第１の下側仕切り１２３、第２の下側仕切り１２４を備えている。
【００８１】
また、手指挿入部１０８と、軸体１１０の他端側が位置する領域Ｃの間にも、同様に、手指挿入部１０８から軸体回動検出部１１１へ飛散する水滴を受け止める水滴飛散防止部１２１が形成されており、水滴飛散防止部１２１は、上側仕切り１２２、第１の下側仕切り１２３、第２の下側仕切り１２４を備えている。ただし、領域Ｚには特に水の侵入を嫌うセンサなどは配設されていないので、水滴飛散防止部１２１を備えていない構成とすることも可能である。
【００８２】
また、第１の下側仕切り１２３、第２の下側仕切り１２４には、図１９（ａ）に示すように、下端が下側軸受を構成して上端が解放されたＵ字状の溝１２３ａおよび１２４ｂがそれぞれ形成されている。
【００８３】
また、上側仕切り１２２には、図１９（ｂ）に示すように、上端が上側軸受を構成して下端が解放された逆Ｕ字状の溝１２２ａが形成されている。
【００８４】
そして、第１の下側仕切り１２３、第２の下側仕切り１２４に形成された上記溝（下側軸受）１２３ａ，１２４ａと、上側仕切り１２２に形成された上記溝（上側軸受）１２２ａとによって、図１９（ｃ）に示すように、側面視において略円形となる軸受１２５を形成し、この軸受１２５に、図１９（ｄ）に示すように、上記軸体１１０が、上側仕切り１２２と、第１および第２の下側仕切１２３および１２４によって上下方向から挟持されて軸支されている。
【００８５】
また、この実施形態では、洗浄機本体１に、落下する水を受け止めるカバー体（底カバー）１３０（図１６）を備え、水滴飛散防止部１２１にて受け止めた水滴は、誘導部（第１の誘導部）１４０からカバー体（底カバー）１３０に導かれるように構成されている。
【００８６】
なお、誘導部（第１の誘導部）１４０は、図１５および図１６に示すように、ドアレバー１１２の左側と右側に配設されており、左側と右側の誘導部（第１の誘導部）１４０のそれぞれは、水抜き穴１４１と水抜き穴１４２から構成されている。
【００８７】
さらに、この実施形態の食器洗浄機では、軸体１１０を伝って、手指挿入部１０８が位置する領域Ａから、軸体回動検出部１１１が位置する領域Ｂに、水が流動することを抑制するための堰部１３３（図１５）が設けられている。具体的には、この、堰部１３３は、軸体１１０の外周を軸回りに一回りする鍔によって構成されている。
【００８８】
なお、この実施形態では、上側仕切り１２２で受け止められた水を誘導する水抜き穴１４２が、堰部１３３により堰き止められて落下した水をカバー体１３０に誘導する第２の誘導部として機能するように構成されている。
【００８９】
ただし、特に図示しないが、堰部１３３を、例えば、第１の下側仕切り１２３よりも左側に設けて、堰部１３３で堰き止められた水を別途設けた第２の誘導部（水抜き穴）からカバー体１３０に導くように構成することも可能である。
【００９０】
この実施形態の食器洗浄機は、上述のように構成されており、手指挿入部１０８と軸体回動検出部１１１との間に、手指挿入部１０８から軸体回動検出部１１１へ飛散する水滴を受け止める、水滴飛散防止部１２１が配設されているので、手指挿入部１０８から軸体回動検出部１１１への水滴の飛散が抑制され、洗浄機本体１の前面開口部３から洗浄槽２を引き出す際に使用者が把持部８を把持するときに、手指挿入部１０８に洗浄機本体の外部から水が浸入した場合にも、軸体回動検出部１１１への水の飛散が抑制され、把持部８が使用者の手指により把持されたことを確実に検出することが可能になる。
【００９１】
また、この実施形態の食器洗浄機は、上述のように、水滴飛散防止部１２１にて受け止めた水滴をカバー体（底カバー）１３０に誘導する誘導部１４０を備えているので、水滴飛散防止部１２１にて受け止めた水滴が洗浄機本体１の外に流出することが抑制される。
ただし、誘導部１４０を備える構成は任意の構成であり、誘導部１４０を備えない構成とすることも可能である。
【００９２】
さらに、この実施形態の食器洗浄機は、上述のように、堰部１３３を備えた構成とした場合、軸体１１０を伝って手指挿入部１０８から軸体回動検出部１１１に水が流動することが抑制されるので、把持部８が使用者の手指により把持されたことをさらに確実に検出することができるようになる。
ただし、堰部１３３を備える構成は任意の構成であり、堰部１３３を備えていない構成とすることも可能である。
【００９３】
本発明は、さらにその他の点においても上記実施形態に限定されるものではなく、発明の範囲内において、種々の応用、変形を加えることが可能である。
【符号の説明】
【００９４】
１          洗浄機本体（本体ケーシング）
２          洗浄槽
３          前面開口部
４          上面開口部
８          把持部
９          扉部
９ａ        上側扉部
９ｂ        下側扉部
１０        内蓋
４０        ロック機構
４１        ストライクピン（被係止部）
４２        フック（係止部材）
４３        捩りバネ（係止用付勢手段）
４４        カム（係止解除用駆動手段）
４６        傾斜部
５０        フック位置センサ（係止部材位置センサ）
５３        洗浄槽位置センサ
５７        運転／停止スイッチ
５８        コントローラ（制御手段）
５９        ポンプ
５９ａ      回転速度検出手段
６０        カム駆動モータ
１０１      発光部
１０２      受光部
１０８      手指挿入部
１０９      レバー体把持検出手段
１１０      軸体（ドアレバー軸）
１１１      軸体回動検出部（フォトセンサ）
１１２      レバー体（ドアレバー）
１１３      遮光板
１２０      戻しバネ
１２１      水滴飛散防止部
１２２      上側仕切り
１２２ａ    上側仕切りに設けた逆Ｕ字状の溝
１２３      第１の下側仕切り
１２４      第２の下側仕切り
１２３ａ    第１の下側仕切りに設けたＵ字状の溝
１２４ａ    第２の下側仕切りに設けたＵ字状の溝
１２５      略円形の軸受
１３０      カバー体（底カバー）
１３３      堰部
１４０      誘導部（第１の誘導部）
１４１      誘導部を構成する第２の下側仕切りの左側の水抜き穴
１４２      誘導部を構成する第２の下側仕切りの右側の水抜き穴
【図１】
0006339551.tif 000002
【図２】
0006339551.tif 000003
【図３】
0006339551.tif 000004
【図４】
0006339551.tif 000005
【図５】
0006339551.tif 000006
【図６】
0006339551.tif 000007
【図７】
0006339551.tif 000008
【図８】
0006339551.tif 000009
【図９】
0006339551.tif 000010
【図１０】
0006339551.tif 000011
【図１１】
0006339551.tif 000012
【図１２】
0006339551.tif 000013
【図１３】
0006339551.tif 000014
【図１４】
0006339551.tif 000015
【図１５】
0006339551.tif 000016
【図１６】
0006339551.tif 000017
【図１７】
0006339551.tif 000018
【図１８】
0006339551.tif 000019
【図１９】
0006339551.tif 000020